(57)【要約】【課題】  新たな部品や加工を追加することなく、支持脚の回転やネジの緩みを防止する支持脚取付構造を提供すること。【解決手段】  支持脚１０、略円柱状に形成された本体１１と、ネジ３０を締める前の状態でシャーシ２０と接する外周部１２と、外周部１２よりも高さが低いことにより、ネジ３０を締める前の状態ではシャーシ２０と接しない内周部１３とを含む。ネジ３０を締めることによって、シャーシ２０の内周部１３の内周上面１３ａに対向する部分が、内周部側へと引っ張られるように変形し、内周上面１３ａに接する。【選択図】図８
2012043838.tif 000002
【特許請求の範囲】
【請求項１】
ネジを締めることによってシャーシに支持脚を取付ける支持脚取付構造であって、
前記支持脚が、略円柱状に形成された本体と、前記ネジを締める前の状態で前記シャーシと接する外周部と、前記外周部よりも高さが低いことにより、前記ネジを締める前の状態では前記シャーシと接しない内周部とを含み、
前記ネジを締めることによって、前記シャーシの前記内周部の上面に対向する部分が、前記内周部側へと変形し、前記内周部の上面に接する、支持脚取付構造。
【請求項２】
前記外周部の高さと前記内周部の高さとの差が、０．０１ｍｍ〜０．５ｍｍである、請求項１に記載の支持脚取付構造。
【請求項３】
請求項１または２に記載の支持脚取付構造に適用される前記支持脚であって、
略円柱状に形成された前記本体と、前記外周部と、前記外周部よりも高さが低い前記内周部とを備える、支持脚。
【発明の詳細な説明】
【技術分野】
【０００１】
本発明は、電子機器の支持脚取付構造およびそれに適用される支持脚に関する。
【背景技術】
【０００２】
オーディオ機器等の電子機器においては、筐体の底面（シャーシ）の四隅に支持脚をネジによって取付け、支持脚を介して設置面に設置するようになっている。支持脚をシャーシに取付けた状態において、支持脚にユーザが触れることにより、支持脚が外れる方向に回転してしまい、ネジが緩んでしまうという問題がある。
【０００３】
この問題を解決するために、以下の対策が採用されている。
１つ目は、支持脚の外周付近に回転防止用のボスを形成し、シャーシ側にボスを挿入するための孔を形成し、孔にボスを挿入することによって回転を防止する。または、支持脚の外周付近にボスを挿入するための孔を形成し、シャーシ側にボスを形成する。
２つ目は、ネジを中心の一本ではなく、中心を外した２本以上使用することによって回転を防止する。
３つ目は、支持脚とシャーシとをネジだけでなく、接着剤を用いて接着する。
４つ目は、ネジの回転防止用にスプリングワッシャーや、歯付きワッシャーをネジと支持脚との間に介在させる。
しかし、これらいずれの方法であっても、部品や加工を追加する必要があり、コストアップ、製品工数が増大する等の問題が生じる。
【先行技術文献】
【特許文献】
【０００４】
【特許文献１】特開平８−３２２４６号公報
【発明の概要】
【発明が解決しようとする課題】
【０００５】
本発明の目的は、新たな部品や加工を追加することなく、支持脚の回転やネジの緩みを防止する支持脚取付構造を提供することである。
【課題を解決するための手段】
【０００６】
本発明の好ましい実施形態による支持脚取付構造は、ネジを締めることによってシャーシに支持脚を取付ける支持脚取付構造であって、前記支持脚が、略円柱状に形成された本体と、前記ネジを締める前の状態で前記シャーシと接する外周部と、前記外周部よりも高さが低いことにより、前記ネジを締める前の状態では前記シャーシと接しない内周部とを含み、前記ネジを締めることによって、前記シャーシの前記内周部の上面に対向する部分が、前記内周部側へと変形し、前記内周部の上面に接する。
【０００７】
好ましい実施形態においては、前記外周部の高さと前記内周部の高さとの差が、０．０１ｍｍ〜０．５ｍｍである。
【０００８】
本発明の好ましい実施形態による支持脚は、上記の支持脚取付構造に適用される前記支持脚であって、略円柱状に形成された前記本体と、前記外周部と、前記外周部よりも高さが低い前記内周部とを備える。
【発明の効果】
【０００９】
支持脚をシャーシに配置し、ネジを締める前の状態では、外周部がシャーシに接しているが、内周部はシャーシに接していない。そして、支持脚をシャーシに取付けるようにネジを締めることによって、シャーシの内周部に対向する部分が下側に引っ張られるように変形し、内周部に接するようになる。従って、シャーシは支持脚側に引っ張られた（力が加えられた）状態で支持脚にネジで取付けられている。その結果、支持脚はシャーシに強固に固定される。
従って、新たな部品や加工を追加することなく、支持脚の回転やネジの緩みを防止する支持脚取付構造を提供することができる。
【図面の簡単な説明】
【００１０】
【図１】本発明の好ましい実施形態による支持脚取付構造の取付前の側面図である。
【図２】本発明の好ましい実施形態による支持脚取付構造の取付前の斜視図である。
【図３】本発明の好ましい実施形態による支持脚取付構造の取付前の断面図である。
【図４】本発明の好ましい実施形態による支持脚取付構造の取付前の断面斜視図である。
【図５】本発明の好ましい実施形態による支持脚取付構造の取付後の側面図である。
【図６】本発明の好ましい実施形態による支持脚取付構造の取付後の斜視図である。
【図７】本発明の好ましい実施形態による支持脚取付構造の取付後の断面図である。
【図７Ｂ】本発明の好ましい実施形態による支持脚取付構造の取付後の断面図である。
【図８】本発明の好ましい実施形態による支持脚取付構造の取付後の断面斜視図である。
【図９】本発明の別の好ましい実施形態による支持脚の断面図である。
【発明を実施するための形態】
【００１１】
以下、本発明の好ましい実施形態について、図面を参照して具体的に説明するが、本発明はこれらの実施形態には限定されない。本実施形態による電子機器の支持脚取付構造は、支持脚１０と、シャーシ２０と、ネジ３０とを備える。
【００１２】
図１は、支持脚取付構造の取付前の側面図である。
図２は、支持脚取付構造の取付前の斜視図である。
図３は、支持脚取付構造の取付前の断面図である。
図４は、支持脚取付構造の取付前の断面斜視図である。
図５は、支持脚取付構造の取付後の側面図である。
図６は、支持脚取付構造の取付後の斜視図である。
図７は、支持脚取付構造の取付後の断面図である。
図７Ｂは、支持脚取付構造の取付後の断面図である。
図８は、支持脚取付構造の取付後の断面斜視図である。
【００１３】
シャーシ２０は、例えばオーディオ機器等の電子機器の筐体の底面であり、特に限定されないが、鉄、アルミニウム等の薄い金属で形成されている。シャーシ２０の厚みは、代表的には、０．７ｍｍ〜２．０ｍｍが採用され得る。後述するように、シャーシ２０は、支持脚１０がネジ３０によって取付けられる際に、ネジ３０を締める際の力によって、支持脚１０側（鉛直下側）へと変形する必要がある。従って、シャーシ２０の材質や厚みは、支持脚１０側へと変形可能なよう選択されるとよい。
【００１４】
シャーシ２０には、支持脚１０が取付けられる位置に、支持脚１０をネジ３０で取付けるためのネジ孔２１が形成されている。一般的には、シャーシ２０には、四隅に支持脚が取付けられるので、四隅にネジ孔２１が形成されている。
【００１５】
支持脚１０は、シャーシ２０にネジ３０によって取付けられることによって、電子機器を支持するものである。支持脚１０は、略円柱形状を有する。略円柱とは、支持脚のデザインや音質設計等の理由で若干形状が変形されていてもよいことを意味する。支持脚１０は、本体部１１と、外周部１２と、内周部１３と、環状溝部１４と、貫通孔１５とを含む。
【００１６】
本体部１１は、略円柱形状に形成された支持脚１０の本体部分である。
【００１７】
外周部１２は、本体部１１の上側かつ外周部分に形成された円環状（円筒状）の部分である。つまり、外周部１２は、本体部１１の上面からさらに上側に突出するように形成されており、断面では矩形になっている。外周上面１２ａは、外周部１２の上側の平面であり、支持脚１０がシャーシに取付けられる際に、シャーシ２０と接する部分である。外周上面１２ａは、ネジ３０を締める前の状態でも、シャーシ２０に接する。
【００１８】
内周部１３は、本体部１１の上側かつ内周部分に形成された円環状（円筒状）の部分である。つまり、内周部１１は、本体部１１の上面からさらに上側に突出するように形成されており、断面では矩形になっている。内周上面１３ａは、内周部１３の上側の平面であり、支持脚１０がシャーシに取付けられる際に、シャーシ２０と接する部分である。内周上面１３ａは、ネジ３０を締める前の状態では、シャーシ２０に接しておらず、ネジ３０を締めた際にシャーシ２０と接する。
【００１９】
環状溝部１４は、外周部１２と内周部１３との間に形成された円環状の溝部分である。つまり、環状溝部１４は、本体部１１の上面であって、外周部１２や内周部１３が形成されなかった残りの部分である。
【００２０】
貫通孔１５は、内周部１３（本体部１１）の径方向の中心において、支持脚１０の上面から底面にかけて貫通するように形成された孔であり、ネジ３０が底面側から挿通される部分である。従って、貫通孔１５は、その直径がネジの直径よりもやや大きく形成されており、底面近傍においては、ネジ頭が挿通可能なように、ネジ頭の直径よりもやや大きく形成されている。
【００２１】
支持脚１０の材質は、支持脚１０をシャーシ２０にネジ３０によって締める際に、支持脚１０が変形しないように硬質な材料（例えば金属）によって形成されている。特に限定されないが、支持脚１０は、真鍮によって形成されている。
【００２２】
外周部１２と内周部１３との関係について説明する。図３に示すように、外周部１２の高さｘ（つまり、本体部１１の底面から外周上面１２ａまでの長さ）は、内周部１３の高さｙ（つまり、本体部１１の底面から内周上面１３ａまでの長さ）よりも高く（長く）なっている。好ましくは、ｘ−ｙ＝０．０１ｍｍ〜０．５ｍｍである。さらに好ましくは、ｘ−ｙ＝０．０３ｍｍ〜０．３ｍｍである。例えば、ｘ−ｙ＝０．０５ｍｍである。当該関係を有することによって、支持脚１０をシャーシ２０にネジ３０で締める際に、シャーシ２０の内周上面１２に対向する部分が下側に引っ張られるように変形し、内周上面２０と接する。従って、支持脚１０がシャーシ２０に強固に固定され、支持脚１０がシャーシに対して回転し、ネジ３０が緩まることを防止できる。
【００２３】
次に、図５〜図８を参照し、支持脚１０をシャーシ２０にネジ３０で取り付ける際の作用について説明する。シャーシ２０のネジ孔２１の位置と支持脚１０の貫通孔１５の位置とを対応させるように、シャーシ２０に支持脚１０を配置させる。この時点では、外周上面１２ａにシャーシ２０が接しているが、内周上面１３ａにはシャーシ２０が接していない。上記の通り、内周部１３の高さが外周部１２の高さよりも低いからである。
【００２４】
貫通孔１５に底面側からネジ３０を挿通させ、ネジ３０を締める方向に回転させる。ネジ３０を締めるに従い、未だ支持脚１０に接していなかったシャーシ２０の内周上面１３ａに対向する部分（及び、環状溝部１４に対向する部分）は、下側（支持脚１０側）に向かって変形する。つまり、シャーシ２０の内周上面１３ａに対向する部分（及び環状溝部１４に対向する部分）は、ネジ３０の締める力によって、下方向に引っ張られる。一方、シャーシ２０の外周上面１２ａに対向する部分は元々外周上面１２ａに接しているので、下側に向かって変形しない。
【００２５】
最終的には、図７、図８に示すように、シャーシ２０の内周上面１３ａに対向する部分は、内周上面１３ａに接するまで下側へと引っ張られて変形する。つまり、シャーシ２０の内周上面１３ａに対向する部分は、外周上面１２ａと内周上面１３ａの高さの差ｘ−ｙだけ下方向に変位する。
【００２６】
ネジ３０を締めた後のシャーシ２０の形状は、外周上面１２ａと対向する部分は、外周上面１２ａと略平行であり、かつ、外周上面１２ａと接しており、内周上面１３ａと対向する部分は、内周上面１３ａと略平行であり、かつ、内周上面１３ａと接しており、環状溝部１４と対向する部分は、外周上面１２ａと対向する部分と内周上面１３ａと対向する部分とを断面視略直線で結ぶように傾斜した形状になっている。
【００２７】
なお、図７Ｂに示すように、シャーシ２０の外周上面１２ａと対向する部分は、外周上面１２ａと平行にならず、内周側のみが外周上面１２ａと接し、外周側は外周上面１２ａと接しない場合もある。同様に、シャーシ２０の内周上面１３ａと対向する部分は、内周上面１３ａと平行にならず、内周側のみが内周上面１３ａと接し、外周側は内周上面１３ａと接しない場合もある。
【００２８】
本実施形態の支持脚の取付構造によると、シャーシ２０がネジ３０の締める力によって支持脚１０の方向に強い力で引っ張られた状態を維持したまま取付けられている。従って、支持脚１０はシャーシ２０に対して強固に取付けられる。従って、取付後に、支持脚１０がシャーシ２０に対して回転し、ネジ３０が緩んでしまうことを防止できる。
【００２９】
以下、本実施形態の支持脚の取付構造について、支持脚１０がシャーシ２０に強固に固定されることを示す解析結果を示す。
（実施例１）
本実施形態の支持脚の取付構造について、図７に示すように、シャーシ２０のネジ３０付近（Ａ点）の応力と、シャーシ２０の外周上面１２ａ最内周部付近（Ｂ点）の応力とを測定した。
なお、測定条件は以下の通りである。
支持脚１０                                       
材質：           真鍮                   
弾性係数：       1019716kgf/cm2
ポアソン比：     0.33
密度：           0.0085kg/cm3
引張強さ：       4878kgf/cm2
降伏強さ：       2444kgf/cm2
外周部１２と内周部１３の高さの差ｘ−ｙ＝０．１ｍｍ
シャーシ２０
材質：          亜鉛メッキスチール
弾性係数：      2039432.4kgf/cm2
ポアソン比：    0.29
密度：          0.00787kg/cm3
引張強さ：      3639.4kgf/cm2
降伏強さ：      2079.6kgf/cm2
材料厚み：      1mm
測定の結果、Ａ点の応力は16298kgf/cm2、Ｂ点の応力は291kgf/cm2であった。
【００３０】
（比較例１）
外周部１２の高さと内周部１３の高さとが等しいこと以外は実施例１と同じ条件の従来の支持脚の取付構造について、Ａ点の応力と、Ｂ点の応力とを測定した。測定の結果、Ａ点の応力は7850kgf/cm2、Ｂ点の応力は13.5kgf/cm2であった。
【００３１】
実施例１と比較例１とを比較すると、実施例１が比較例１に対してかなり応力が大きくなっており、シャーシ２０が支持脚３０側に引っ張られる力が強いことが分かる。従って、本実施形態の支持脚の取付構造においては、支持脚１０がシャーシ２０に強固に固定され、支持脚１０が回転すること、ネジ３０が緩むことが防止できていることが分かる。
【００３２】
次に、本発明の別の好ましい実施形態を説明する。図９は、本実施形態による支持脚の断面図である。この支持脚は、図１〜図８と比較し、環状溝部１４が設けられておらず、外周上面１２ａと内周上面１３ａとを断面視略直線で結ぶように傾斜部１６が形成されている。このような支持脚においても上記と同じ作用効果が得られる。
【００３３】
以上、本発明の好ましい実施形態を説明したが、本発明はこれらの実施形態には限定されない。
【産業上の利用可能性】
【００３４】
本発明は、オーディオ機器等の電子機器の支持脚取付構造に好適に採用され得る。
【符号の説明】
【００３５】
１０        支持脚
１１        本体部
１２        外周部
１２ａ      外周上面
１３        内周部
１３ａ      内周上面
１４        環状溝部
１５        貫通孔
２０        シャーシ
２１        ネジ孔
３０        ネジ
【図１】
2012043838.tif 000003
【図２】
2012043838.tif 000004
【図３】
2012043838.tif 000005
【図４】
2012043838.tif 000006
【図５】
2012043838.tif 000007
【図６】
2012043838.tif 000008
【図７】
2012043838.tif 000009
【図７Ｂ】
2012043838.tif 000010
【図８】
2012043838.tif 000011
【図９】
2012043838.tif 000012